(57)【特許請求の範囲】
【請求項１】
媒体ガイドを備えた印字ヘッド部と、前記印字ヘッド部に対向する位置に配置したプラテンと、前記媒体ガイドを乗り上げさせて前記印字ヘッド部とプラテン間に吸入した媒体をプラテン側に押し付けるフラップと、を備え、前記印字ヘッド部により前記媒体に印字する印字ヘッド機構において、
前記フラップは、搬送幅方向の端部に、終端部分を前記プラテン側に曲げた曲げ部を備え、
前記プラテンは、前記終端部分が入り込む溝部を設けるようにしたことを特徴とする印字ヘッド機構。
【請求項２】
前記媒体ガイドは印字ヘッド近傍に備えた印字ヘッドローラであることを特徴とする請求項１記載の印字ヘッド機構。
【請求項３】
前記曲げ部は、前記フラップの搬送幅方向の両端部に設けるようにしたことを特徴とする請求項１記載の印字ヘッド機構。
【請求項４】
前記プラテンは、前記終端部分が入り込む位置の材料を柔軟性のある材料としたことを特徴とする請求項１記載の印字ヘッド機構。
【発明の詳細な説明】
【技術分野】
【０００１】
本発明は、フラップにて媒体を押さえて印字する印字ヘッド機構に関するものである。
【背景技術】
【０００２】
従来、伝票や通帳などの媒体に印字処理を行う印字ヘッド機構では、インクリボンと媒体との接触により媒体が汚れることを防止するために印字ヘッドと媒体間に所定のギャップを確保して印字するようになっている。そして、印字ヘッドに衝撃が加わらないようにするために、媒体ガイドとして印字ヘッドローラを備え、印字ヘッドローラにより媒体を上から押さえながら印字する技術はあった（例えば、特許文献１参照）。
【０００３】
或いは、上記のように印字ヘッドローラにより媒体を直接押し付けるのではなく、図４に示したようにフラップ９４を設け、媒体９を吸入するために必要な所定の隙間が確保されるようにし、一方、印字等の際に、印字ヘッド２ｈの退避位置から矢印Ｂのように移動する印字ヘッド部２に備えた印字ヘッドローラ２ａをフラップ９４上に乗り上げさせて媒体９を上から押さえて印字ヘッド２ｈと媒体９間に所定のギャップを確保して印字する技術はあった。
【０００４】
そして、フラップ９４の材料としては、搬送幅方向端部（破線ｘ部）にて印字ヘッド部２の印字ヘッドローラ２ａをフラップ９４上にスムーズに乗り上げさせるとともに、搬送幅方向端部（破線ｘ部）のフラップ９４上に印字ヘッド部２がある場合でも媒体９が矢印Ａのように吸入されたときに同図（ｂ）のようにフラップ９４の傾斜部９４ａにガイドされフラップ９４を持上げて媒体９を吸入できるようにするために、マイラフィルム等の柔軟性のある材料が用いられていた。
【０００５】
ところが、マイラフィルム等の柔軟性のある材料は寿命が短く、頻繁に交換するための作業が発生するため、長寿命化が可能なステンレス等の材料を用いたフラップ９４の採用が検討され、印字ヘッド部２をフラップ９４に乗り上げさせる際にフラップ９４の端部（ｘ部）に印字ヘッドローラ２ａが引っ掛からないように、また、印字ヘッド部２がフラップ９４上にある状態でも媒体９を吸入させるための間隔を確保できるようにするために、図５の矢印Ｃのように印字ヘッド部２が徐々にフラップ９４に乗り上げるようなフラップ形状を採用していた。
【先行技術文献】
【特許文献】
【０００６】
【特許文献１】特開２００５−２７１３９８号公報
【発明の概要】
【発明が解決しようとする課題】
【０００７】
しかしながら、上記長寿命化が可能なステンレス等の材料を用いたフラップ９４を用いた従来の印字ヘッド機構では、印字ヘッド部２をフラップ９４上に乗り上げさせるための移動距離Ｌｘ（図５（ｃ））が必要となり、装置の小型化の妨げとなるとともに、移動距離Ｌｘを印字ヘッド部２が移動する時間が余分な処理時間として発生してしまうという問題が発生していた。
【課題を解決するための手段】
【０００８】
本発明は、前述の課題を解決するために次の構成を採用する。すなわち、媒体ガイドを備えた印字ヘッド部と、前記印字ヘッド部に対向する位置に配置したプラテンと、前記媒体ガイドを乗り上げさせて前記印字ヘッド部とプラテン間に吸入した媒体をプラテン側に押し付けるフラップと、を備え、前記印字ヘッド部により前記媒体に印字する印字ヘッド機構において、前記フラップは、搬送幅方向の端部に、終端部分を前記プラテン側に曲げた曲げ部を備え、前記プラテンは、前記終端部分が入り込む溝部を設けるようにした。
【発明の効果】
【０００９】
本発明の印字ヘッド機構によれば、以上のように構成したので、装置の長寿命化が可能であるとともに、印字ヘッド部を乗り上げさせるための余分な長さが不要となり、印字処理時間を短縮でき、装置を小型化することができる。
【図面の簡単な説明】
【００１０】
【図１】実施例１の印字ヘッド機構の構成図である。
【図２】実施例１の印字ヘッド機構のａ部拡大図である。
【図３】実施例１の印字ヘッド機構の動作説明図（前面図）である。
【図４】従来の印字ヘッド機構の構成および動作説明図である。
【図５】従来の印字ヘッド機構の構成および動作説明図である。
【発明を実施するための形態】
【００１１】
以下、図面を用いて本発明に係わる実施の形態例を説明する。図面に共通する要素には同一の符号を付す。
【実施例１】
【００１２】
（構成）
図１は実施例１の印字ヘッド機構の構成図であり、図２は図１のａ部拡大図である。同図に示したように、実施例１の印字ヘッド機構部は、フラップ４の両端部（ａ部、ｂ部）に、印字ヘッド部２が引っ掛かることを防止するための曲げ部４ｃを設け、矢印Ｂのように移動する印字ヘッド部２の媒体ガイドとして印字ヘッドローラ２ａによってフラップ４が矢印Ｄのように移動可能とし、フラップ４が矢印Ｄのように押し下げられたときに曲げ部４ｃがプラテン３にぶつからないようにプラテン３に溝部３ｘを設けた構成となっている。なお、本実施例における曲げ部４ｃの溝部３ｘに入り込む終端部分は、フラップ４の媒体９を押さえる並行部分に対して垂直となるまで曲げて構成するものとしているが、印字ヘッドローラ２ａがフラップ４に乗り上げ可能な曲げ部４ｃとなるようにすればよいため、曲げ部４ｃの終端部分はフラップ４の並行部分に対して垂直でなくともよい。また、曲げ部４ｃはフラップ４のａ部、ｂ部いずれかの端部のみに設けるようにしてもよい。
【００１３】
その他の構成は、従来の印字ヘッド機構の構成と同様であるので、簡略化のためにその詳細な説明は省略する。
【００１４】
（動作）
以上の構成にて実施例１の印字ヘッド機構は、以下のように動作する。この動作を前出の図１、図２および図３の動作説明図を用いて以下詳細に説明する。
【００１５】
まず、媒体９を吸入するときは、フラップ４は、媒体９を容易に吸入できるように下側から図示しない持上機構により持ち上げ、媒体９と所定の隙間が設けられて配置される。そして、媒体９が吸入され、印字が開始されるときは、フラップ４は、前記持上機構が解除され、図示しない付勢手段により下側に付勢されて図３（ａ）に示した状態となる。
【００１６】
そして、図３（ｂ）に示したように、印字ヘッド部２が矢印Ｂ方向に移動し、フラップ４の曲げ部４ｃに当接すると、フラップ４は、矢印Ｄのように下側に押し下げられ、媒体９を押さえる。このとき、曲げ部４ｃは、プラテン３に設けられた溝部３ｘに入り込み、プラテン３にぶつからない。
【００１７】
さらに、図３（ｃ）のように、印字ヘッド部２が矢印Ｂ方向に移動すると、印字ヘッド部２は、曲げ部４ｃにより、引っ掛ることなくスムーズにフラップ４に乗り上げる。
【００１８】
なお、図示していないが、印字ヘッド部２が図１のｂ部側にあるときも同様に、フラップ４の端部に備えた曲げ部４ｃによって印字ヘッド部２が引っ掛ることなくフラップ４に乗り上げる。
【００１９】
以上の実施例１の印字ヘッド機構の説明では、フラップ４の両端部の曲げを逃がすために、プラテン３に溝部３ｘを設けるように説明したが、フラップ４の曲げ部４ｃに対向する位置周辺をゴムのような柔軟性のある材料とし、曲げ部４ｃの矢印Ｄ方向への移動を吸収できるようにしてもよい。
【００２０】
また、以上の実施例１の印字ヘッド機構の説明では、印字ヘッド部２に媒体ガイドとして印字ヘッドローラ２ａを備え印字ヘッド２ｈと媒体９間に所定のギャップを確保した印字ヘッド機構として説明したが、媒体ガイドとしてヘッドプロテクタのような固定部材を備えた構成の印字ヘッド機構にも本発明を提供することができる。
【００２１】
（実施例１の効果）
以上のように実施例１の印字ヘッド機構によれば、フラップの端部に印字ヘッド部が引っ掛かることを防止するための曲げ部を設け、プラテンの前記曲げ部に対向する位置に溝部を設けるようにしたので、装置の長寿命化が可能であるとともに、印字ヘッド部を乗り上げさせるための余分な長さが不要となり、印字処理時間を短縮でき、装置を小型化することができる。
【産業上の利用可能性】
【００２２】
以上述べたように、本発明は、フラップにて媒体を押さえて印字する印字ヘッド機構に広く用いることができる。
【符号の説明】
【００２３】
２    印字ヘッド部
２ａ  印字ヘッドローラ
２ｈ  印字ヘッド
３    プラテン
３ｘ  溝部
４、９４    フラップ
４ｃ  曲げ部
５    搬送路
９    媒体
【図１】
0005853630.tif 000002
【図２】
0005853630.tif 000003
【図３】
0005853630.tif 000004
【図４】
0005853630.tif 000005
【図５】
0005853630.tif 000006